(57)【要約】【課題】撮像装置における撮像の調整を好適に行い得るカラオケ装置を提供する。【解決手段】カラオケ装置１６に対して位置固定に設けられた、指令に応じて撮像の調整を行い得るデジタルカメラ８２と、そのデジタルカメラ８２に対して指令を出力することで、そのデジタルカメラ８２における撮像の調整を行う撮像調整手段１０４とを、備え、その撮像調整手段１０４は、カラオケ装置１６によるカラオケ演奏に係る演奏曲の進行に従って撮像の調整を行うタイミングを制御するものであることから、カラオケ装置１６によるカラオケ演奏との兼ね合いを考慮しつつ、好適にデジタルカメラ８２における撮像の調整を行うことができる。【選択図】図５
2013200370.tif 000002
【特許請求の範囲】
【請求項１】
多数の演奏曲のうちから選択される演奏曲を出力させると共に、該演奏曲の歌詞文字映像を映像表示装置に表示させるカラオケ装置であって、
該カラオケ装置に対して位置固定に設けられた、指令に応じて撮像の調整を行い得る撮像装置と、
該撮像装置に対して前記指令を出力することで、該撮像装置における撮像の調整を行う撮像調整手段と
を、備え、
該撮像調整手段は、前記演奏曲の進行に従って前記撮像の調整を行うタイミングを制御するものであることを特徴とするカラオケ装置。
【請求項２】
前記撮像調整手段は、前記演奏曲における歌唱が開始されるべきタイミングに合わせて前記撮像の調整を終了するものである請求項１に記載のカラオケ装置。
【請求項３】
前記撮像調整手段は、前記演奏曲に係るガイドメロディの出力が開始されるタイミングに合わせて前記撮像の調整を終了するものである請求項２に記載のカラオケ装置。
【請求項４】
前記撮像調整手段は、前記演奏曲に係る前記歌詞文字映像の色替表示制御が開始されるタイミングに合わせて前記撮像の調整を終了するものである請求項２に記載のカラオケ装置。
【請求項５】
前記撮像調整手段は、前記演奏曲の出力に伴い所定の音声入力装置からの音声入力が開始されるタイミングに合わせて前記撮像の調整を終了するものである請求項２に記載のカラオケ装置。
【請求項６】
前記カラオケ装置を用いてカラオケ演奏を行っている利用者の人数を算出する利用者人数算出手段と、
前記撮像装置により撮影される撮像に含まれる人物の人数を判定する撮像内人数判定手段と
を、備え、
前記撮像調整手段は、前記撮像内人数判定手段により判定される人数が、前記利用者人数算出手段により算出された人数と一致した時点で前記撮像の調整を終了するものである請求項１から５の何れか１項に記載のカラオケ装置。
【請求項７】
前記撮像調整手段は、前記撮像装置の撮像方向を制御することにより該撮像装置における撮像の調整を行うものである請求項１から６の何れか１項に記載のカラオケ装置。
【請求項８】
前記撮像調整手段は、前記撮像装置のズームを制御することにより該撮像装置における撮像の調整を行うものである請求項１から６の何れか１項に記載のカラオケ装置。
【発明の詳細な説明】
【技術分野】
【０００１】
本発明は、カラオケボックス等で使用されるカラオケ装置に関し、特に、その利便性を向上させるための改良に関する。
【背景技術】
【０００２】
多数の演奏曲のうちから選択される演奏曲を出力させると共に、その演奏曲の歌詞文字映像を映像表示装置に表示させるカラオケ装置が知られている。斯かるカラオケ装置によれば、予め記憶装置に記憶された多数のカラオケ演奏曲からリモコン装置等により選択（選曲）されたカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
前記カラオケ装置の一態様として、ＣＣＤ（Charge Coupled Device）カメラ等の撮像装置を備え、その撮像装置により撮影された動画乃至静止画像を、前記カラオケ装置によるカラオケ演奏における背景映像等として出力させるものが知られている。また、斯かる撮像装置としては、前記カラオケ装置に対して位置固定に設けられると共に、そのカラオケ装置からの指令に応じて所謂パン・チルトやズームの変更等、撮像の調整を行い得るものが好適に用いられる。このような撮像装置における撮像の調整技術として、特許文献１に記載された撮像装置の制御システム等が提案されている。
【先行技術文献】
【特許文献】
【０００４】
【特許文献１】特開２００７−６７９６３号公報
【発明の概要】
【発明が解決しようとする課題】
【０００５】
しかし、前記カラオケ装置に対して位置固定に設けられた撮像装置における撮像の調整では、そのカラオケ装置によるカラオケ演奏との兼ね合いが問題となる。すなわち、例えば前記撮像装置により撮影された動画を前記カラオケ装置によるカラオケ演奏の背景映像として用いる態様において、カラオケ演奏者による歌唱が始まった後もパン・チルトやズームの変更等が継続して行われている場合、演奏者が演奏に集中することができなかったり、場の雰囲気が壊れたりといった不具合が発生するおそれがあった。このような課題は、撮像装置を備えたカラオケ装置の利便性向上を意図して本発明者が鋭意研究を継続する過程において新たに見出したものである。
【０００６】
本発明は、以上の事情を背景として為されたものであり、その目的とするところは、撮像装置における撮像の調整を好適に行い得るカラオケ装置を提供することにある。
【課題を解決するための手段】
【０００７】
斯かる目的を達成するために、本発明の要旨とするところは、多数の演奏曲のうちから選択される演奏曲を出力させると共に、その演奏曲の歌詞文字映像を映像表示装置に表示させるカラオケ装置であって、そのカラオケ装置に対して位置固定に設けられた、指令に応じて撮像の調整を行い得る撮像装置と、その撮像装置に対して前記指令を出力することで、その撮像装置における撮像の調整を行う撮像調整手段とを、備え、その撮像調整手段は、前記演奏曲の進行に従って前記撮像の調整を行うタイミングを制御することを特徴とするものである。
【発明の効果】
【０００８】
このようにすれば、前記カラオケ装置に対して位置固定に設けられた、指令に応じて撮像の調整を行い得る撮像装置と、その撮像装置に対して前記指令を出力することで、その撮像装置における撮像の調整を行う撮像調整手段とを、備え、その撮像調整手段は、前記演奏曲の進行に従って前記撮像の調整を行うタイミングを制御するものであることから、前記カラオケ装置によるカラオケ演奏との兼ね合いを考慮しつつ、好適に前記撮像装置における撮像の調整を行うことができる。すなわち、撮像装置における撮像の調整を好適に行い得るカラオケ装置を提供することができる。
【０００９】
ここで、好適には、前記撮像調整手段は、前記演奏曲における歌唱が開始されるべきタイミングに合わせて前記撮像の調整を終了するものである。このようにすれば、演奏者が演奏に集中することができなかったり、場の雰囲気が壊れたりといった不具合の発生を好適に抑制することができる。
【００１０】
また、好適には、前記撮像調整手段は、前記演奏曲に係るガイドメロディの出力が開始されるタイミングに合わせて前記撮像の調整を終了するものである。このようにすれば、前記演奏曲における歌唱が開始されるべきタイミングに合わせて前記撮像の調整を終了することができ、演奏者が演奏に集中することができなかったり、場の雰囲気が壊れたりといった不具合の発生を好適に抑制することができる。
【００１１】
また、好適には、前記撮像調整手段は、前記演奏曲に係る前記歌詞文字映像の色替表示制御が開始されるタイミングに合わせて前記撮像の調整を終了するものである。このようにすれば、前記演奏曲における歌唱が開始されるべきタイミングに合わせて前記撮像の調整を終了することができ、演奏者が演奏に集中することができなかったり、場の雰囲気が壊れたりといった不具合の発生を好適に抑制することができる。
【００１２】
また、好適には、前記撮像調整手段は、前記演奏曲の出力に伴い所定の音声入力装置からの音声入力が開始されるタイミングに合わせて前記撮像の調整を終了するものである。このようにすれば、前記演奏曲における歌唱が開始されるべきタイミングに合わせて前記撮像の調整を終了することができ、演奏者が演奏に集中することができなかったり、場の雰囲気が壊れたりといった不具合の発生を好適に抑制することができる。
【００１３】
また、好適には、前記カラオケ装置を用いてカラオケ演奏を行っている利用者の人数を算出する利用者人数算出手段と、前記撮像装置により撮影される撮像に含まれる人物の人数を判定する撮像内人数判定手段とを、備え、前記撮像調整手段は、前記撮像内人数判定手段により判定される人数が、前記利用者人数算出手段により算出された人数と一致した時点で前記撮像の調整を終了するものである。このようにすれば、前記カラオケ装置を用いてカラオケ演奏を行っている利用者全員が、前記撮像装置における撮像内に含まれるように、その撮像装置における撮像を好適且つ実用的な態様で調整することができる。
【００１４】
また、好適には、前記撮像調整手段は、前記撮像装置の撮像方向を制御することによりその撮像装置における撮像の調整を行うものである。このようにすれば、所謂パン・チルトにより前記撮像装置における撮像を好適且つ実用的な態様で調整することができる。
【００１５】
また、好適には、前記撮像調整手段は、前記撮像装置のズームを制御することによりその撮像装置における撮像の調整を行うものである。このようにすれば、ズームイン乃至ズームアウトにより前記撮像装置における撮像を好適且つ実用的な態様で調整することができる。
【図面の簡単な説明】
【００１６】
【図１】本発明のカラオケ装置が好適に適用される通信カラオケシステムの構成を説明する図である。
【図２】本発明の一実施例であるカラオケ装置の構成を例示するブロック線図である。
【図３】図２のカラオケ装置におけるコマンダ本体に設けられたタッチパネルディスプレイについて説明する図である。
【図４】図２のカラオケ装置に備えられたデジタルカメラの構成を詳しく説明する正面図である。
【図５】図２のカラオケ装置のＣＰＵに備えられた制御機能の要部を説明する機能ブロック線図である。
【図６】図４のデジタルカメラにより撮影される撮像を例示するものであり、撮像範囲が向かって左側へ寄りすぎている例を示している。
【図７】図４のデジタルカメラにより撮影される撮像を例示するものであり、ズームの拡大率が大きすぎる例を示している。
【図８】図４のデジタルカメラにより撮影される撮像を例示するものであり、カラオケ演奏を行う利用者全員の像が撮像内に収まった例を示している。
【図９】図２のカラオケ装置のＣＰＵによるログイン／ログアウト制御の要部について説明するフローチャートである。
【図１０】図２のカラオケ装置のＣＰＵによる撮像調整制御の要部について説明するフローチャートである。
【発明を実施するための形態】
【００１７】
以下、本発明の好適な実施例を図面に基づいて詳細に説明する。
【実施例】
【００１８】
図１は、本発明のカラオケ装置が好適に適用される通信カラオケシステム１０の構成を説明する図である。この図１に示すように、本実施例の通信カラオケシステム１０においては、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）本発明の一実施例であるカラオケ装置１６ａ、１６ｂ、１６ｃ、・・・（以下、特に区別しない場合には単にカラオケ装置１６と称する）が設置されている。これら複数のカラオケ装置１６は、ルータ２８を介して通信回線１８に接続されており、同様にその通信回線１８に接続されたサーバ装置２０等との相互間でその通信回線１８を介して情報の通信が可能とされている。
【００１９】
また、上記通信カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台乃至数台ずつの上記電子早見本装置２２が貸与され、各個室１４において後述するように上記カラオケ装置１６との間で対応付け処理が行われることで、そのカラオケ装置１６の遠隔操作装置として用いられるようになっている。また、図１に示すように、上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００２０】
前記通信回線１８は、例えば公衆電話回線、ＡＤＳＬ回線、或いは光ファイバ回線等から構成されるＷＷＷ（World Wide Web）等のインターネットに接続された広域情報通信網である。また、前記サーバ装置２０は、例えば、前記通信カラオケシステム１０を管理する情報配信サービス提供会社によって運営されるサーバであり、その通信カラオケシステム１０におけるカラオケ情報（楽曲データ）、背景映像情報、曲間情報等のデジタルコンテンツ（Digital Contents）の保管や入出力管理の基本的な制御を行うセンタ装置として機能する。また、前記通信カラオケシステム１０を利用する各利用者毎の、前記カラオケ装置１６を用いたカラオケ演奏に関する情報を、その利用者の識別情報（ユーザＩＤ）と対応付けて記憶するデータベースを管理するデータベースサーバとして機能する。すなわち、前記サーバ装置２０は、好適には、前記通信カラオケシステム１０における各利用者に対応して、少なくともその利用者の識別情報と、後述するログイン認証に用いられるパスワードとを、相互に対応付けて記憶する。なお、本実施例においては、前記通信カラオケシステム１０のセンタ装置としての機能及びデータベースサーバとしての機能を兼ね備えた単一の前記サーバ装置２０を備えた構成について説明するが、それらセンタ装置及びデータベースサーバが個別のサーバ装置として構成されたものであってもよい。
【００２１】
図１に示すように、本実施例の通信カラオケシステム１０は、前記通信回線１８を介して複数のシステム乃至通信端末装置との間で相互に情報の送受信が可能とされている。すなわち、通信端末装置であるパーソナルコンピュータ３０が前記通信回線１８に接続されると共に、同じく通信端末装置である携帯電話機３２が中継基地局３４を介して前記通信回線１８に接続され、それらパーソナルコンピュータ３０及び携帯電話機３２と前記カラオケ装置１６やサーバ装置２０等との間で相互に情報の送受信が可能とされている。また、前記カラオケ装置１６とは異なる形態のカラオケ装置である家庭用カラオケ装置３６が前記通信回線１８に接続され、その家庭用カラオケ装置３６と前記カラオケ装置１６やサーバ装置２０等との間で相互に情報の送受信が可能とされている。すなわち、本実施例の通信カラオケシステム１０は、前記サーバ装置２０及び複数の前記家庭用カラオケ装置３６を備えた第２の通信カラオケシステムを内包している。なお、好適には、前記携帯電話機３２は、前記カラオケ装置１６とは異なる形態のカラオケ装置として機能するものである。
【００２２】
図２は、前記カラオケ装置１６の構成を例示するブロック線図である。この図２に示すように、前記カラオケ装置１６は、ＴＦＴ（Thin Film Transistor Liquid Crystal）やＰＤＰ（Plasma Display Panel）等の映像表示装置４０と、ビデオボード（グラフィックスボード）等の映像出力制御部４２と、映像情報デコーダ４４と、ビデオミキサ４６と、音源であるシンセサイザ４８と、音声入力装置であるマイクロフォン５０と、アンプミキサ５２と、スピーカ５４と、操作パネル５６と、その操作パネル５６等からの入力信号を処理する入出力インターフェイス５８と、中央演算処理装置であるＣＰＵ６０と、読出専用メモリであるＲＯＭ６２と、随時書込読出メモリであるＲＡＭ６４と、記憶装置であるハードディスク６６と、モデム６８と、ＬＡＮポート７０と、前記電子早見本装置２２やリモコン装置７６等の入力装置からのリモコン信号を受信するためのリモコン受信部７２と、前記マイクロフォン５０から入力される音声をディジタル信号に変換するためのＡ／Ｄコンバータ７４と、撮像装置であるデジタルカメラ８２（図４を参照）とを、備えて構成されている。
【００２３】
前記映像出力制御部４２は、前記ＣＰＵ６０において生成された歌詞文字映像等の文字映像（テロップ）を出力する文字映像出力装置として機能する他、前記映像表示装置４０による種々の映像表示を制御する表示制御装置である。また、前記映像情報デコーダ４４は、利用者が歌詞を参照しながら歌唱する際に前記ハードディスク６６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ４４により再生された背景映像は、前記ビデオミキサ４６へ送られる。また、そのビデオミキサ４６は、前記ＣＰＵ６０において生成され且つ前記映像出力制御部４２から出力される文字映像と、前記映像情報デコーダ４４により再生される背景映像とを合成して前記映像表示装置４０に表示させる映像合成装置である。
【００２４】
前記シンセサイザ４８は、前記ハードディスク６６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ４８により生成された音楽信号は、アナログ信号に変換されて前記アンプミキサ５２へ送られる。そのアンプミキサ５２では、送られてきた音楽信号と前記マイクロフォン５０を介して入力される利用者（演奏者）の歌声とがミキシングされ、それらの信号が電気的に増幅されて前記スピーカ５４から出力される。
【００２５】
前記操作パネル５６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６は、例えば図３に示すように、前記ＣＰＵ６０やシンセサイザ４８等を格納するコマンダ本体３８にタッチパネルディスプレイ７８を備えたものであってもよい。このタッチパネルディスプレイ７８は、画像（映像）を表示させると共に利用者の接触に応じて前記カラオケ装置１６への入力を行うものであり、好適には、上記コマンダ本体３８における表側の平面部（カラオケボックス等に設置される場合に、利用者側とされる面）に設けられる。斯かる態様において、上記タッチパネルディスプレイ７８は、前記映像表示装置４０とは別に第２の映像表示装置として機能すると共に、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作パネルとして機能する。例えば、図３に示す例では、上記タッチパネルディスプレイ７８にそれぞれ個別の文字（例えば、五十音の文字やアルファベット等）を示す複数の文字ボタン８０が表示された状態を示している。このタッチパネルディスプレイ７８に表示された文字ボタン８０（タッチパネルにおける文字ボタン８０に対応する相対位置）に対する利用者の指や備え付けのペン等による接触操作が行われると、それら文字ボタン８０によって示される文字乃至文字列の入力が行われる。そして、斯かる操作により入力された文字乃至文字列に基づいて、それらの文字乃至文字列に前方一致する歌手名乃至曲名が検索される等、前記カラオケ装置１６の利用者が歌いたいカラオケ演奏曲の検索乃至選曲入力が上記タッチパネルディスプレイ７８を介して行われる。
【００２６】
また、前記カラオケ装置１６には、前記操作パネル５６の一部機能を遠隔で実行するための入力装置として機能するリモコン装置７６が備えられており、前記リモコン受信部７２は、そのリモコン装置７６から送信されるリモコン信号を受信して前記ＣＰＵ６０へ供給する。また、前記カラオケ装置１６と電子早見本装置２２との対応付け（くくりつけ）処理も前記リモコン受信部７２を介して行われ、そのようにして前記カラオケ装置１６に対応付けられた電子早見本装置２２も同様に入力装置として機能する。なお、本実施例においては、前記カラオケ装置１６に備えられたリモコン装置７６や対応付け処理の行われた電子早見本装置２２等の入力装置もそのカラオケ装置１６の一部を構成するものであるとして以下の説明を行う。
【００２７】
前記ＣＰＵ６０は、前記ＲＡＭ６４の一時記憶機能を利用しつつ前記ＲＯＭ６２に予め記憶された所定のプログラムに基づいて電子情報を処理・制御する所謂マイクロコンピュータであり、前記カラオケ装置１６に係る各種制御を実行する。すなわち、前記電子早見本装置２２やタッチパネルディスプレイ７８等により所定のカラオケ演奏曲が選曲された場合、その選曲されたカラオケ演奏曲を前記ＲＡＭ６４に設けられた予約曲テーブルに登録する選曲予約制御、その予約曲テーブルの演奏順に従って前記ハードディスク６６から前記ＲＡＭ６４に選曲されたカラオケ演奏曲の演奏情報及び歌詞情報（楽曲データ）を読み出す楽曲データ読出制御、カラオケ演奏曲の演奏が進行するのに応じてそのＲＡＭ６４から前記シンセサイザ４８へ演奏情報を送信する演奏出力制御、その演奏出力制御に際して前記ＲＡＭ６４に展開された歌詞情報に基づいて歌詞文字映像を生成して前記映像出力制御部４２へ送信する歌詞文字映像出力制御、上記演奏出力制御に際して前記映像情報デコーダ４４を制御して所定の背景映像を再生させる背景映像出力制御、カラオケ演奏が行われていない間すなわち曲間において、新譜情報、選曲ランキング、店舗広告等の曲間情報を出力させる曲間情報出力制御、及び前記通信回線１８を介した前記サーバ装置２０等との間の情報通信制御等の基本的な制御に加えて、後述する本実施例の撮像調整制御を実行する。
【００２８】
前記モデム６８は、前記カラオケ装置１６を前記通信回線１８に接続するための装置であり、前記ＣＰＵ６０から出力されるディジタル信号をアナログ信号に変換して前記通信回線１８に送り出すと共に、その通信回線１８を介して伝送されるアナログ信号をディジタル信号に変換して前記ＣＰＵ６０に供給する処理を行う。なお、前記店舗１２に備えられた複数のカラオケ装置１６のうち何れかのカラオケ装置１６が前記ルータ２８の機能を備えてマスターコマンダとして前記通信回線１８に接続される態様も考えられ、その場合、前記モデム６８はそのマスターコマンダとして機能するカラオケ装置１６には必要とされるが、そのマスターコマンダを介して前記サーバ装置２０等との間で情報の通信を行う他のカラオケ装置１６には必ずしも設けられなくともよい。
【００２９】
前記ＬＡＮポート７０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６を介して受信される前記電子早見本装置２２からの選曲入力を受け付けて前記ＲＡＭ６４に設けられた予約曲テーブルに記憶したり、そのアクセスポイント２６を介して前記カラオケ装置１６から電子早見本装置２２へ所定の情報を送信したりというように、電波を介して前記カラオケ装置１６と電子早見本装置２２との間における相互の情報のやりとりが実行される。また、前記通信回線１８を介しての前記電子早見本装置２２とサーバ装置２０等との間の通信も、このＬＡＮ２４乃至ルータ２８を備えたカラオケ装置１６を介して行われる。
【００３０】
前記ハードディスク６６には、カラオケ演奏曲を出力させるための多数のカラオケ情報（楽曲データ）を記憶するカラオケデータベースをはじめとする各種データベースが設けられている。カラオケボックス等の店舗にそれぞれ備えられた複数のカラオケ装置１６のうち所定のカラオケ装置１６例えば前記カラオケ装置１６ａは、前記モデム６８を介して前記通信回線１８に接続されており、前記複数のカラオケ装置１６によって常に新しい曲が演奏可能とされるように、随時新たなカラオケ情報等が前記サーバ装置２０から前記通信回線１８を介して配信され、前記ハードディスク６６のカラオケデータベース等に記憶される。また、そのようにして前記サーバ装置２０から情報を取得したカラオケ装置１６ａとその他のカラオケ装置１６との間で前記ＬＡＮ２４を介した通信が行われることにより、各カラオケ装置１６のハードディスク６６に記憶される情報が共有され、上記カラオケデータベース等の内容が等価なものとされる。
【００３１】
上記カラオケデータベースは、前記カラオケ装置１６により出力可能な演奏曲にそれぞれ対応する多数（例えば、数万曲分）の楽曲データ（カラオケデータ）を記憶する。この楽曲データは、前記シンセサイザ４８により所定の楽器の演奏音を生成するための演奏情報と、歌詞文字映像（歌詞テロップ）を生成するための歌詞情報と、その歌詞情報に基づいて生成された歌詞文字映像を演奏の進行に合わせて順次色替わりさせてゆくための歌詞色替情報とを、含むものであり、コンテンツＩＤである各演奏曲に固有の選曲番号により識別される。また、上記楽曲データには、その演奏曲の曲名、アーティスト名（歌手名）、発表年月日、ジャンル、曲調等の情報が関連づけられて記憶されている。ここで、上記演奏情報は、各種楽器に対応するパートやドラムパート等を含むものであるが、少なくとも演奏曲の主旋律（歌唱において発声すべき音程の連なり）に相当するガイドメロディに対応する演奏情報を含んでいる。また、前記楽曲データベースに記憶される楽曲データは、好適には、演奏情報としてのＭＩＤＩデータ等において複数の区分が予め定められたものである。この区分とは、例えば、前記ＭＩＤＩデータのメタ情報に定められた演奏の区分であり、所定の演奏時間毎に、例えば、前奏に対応するイントロ（Intro）、Ａメロ（Amelo）、Ｂメロ（Bmelo）、Ｃメロ（Cmelo）、フィル（Fill）、サビ、間奏、後奏、及び変拍等の区分が定められている。
【００３２】
図４は、前記カラオケ装置１６に備えられた撮像装置の一例であるデジタルカメラ８２の構成を詳しく説明する正面図である。このデジタルカメラ８２は、好適には、動画を撮影し得る所謂デジタルビデオカメラであり、例えば各個室１４等における所定位置に、前記カラオケ装置１６に対して位置固定に設けられる据え付け型の装置である。前記デジタルカメラ８２は、図４に示すように、前記カラオケ装置１６に対して位置固定に設けられる台座８４と、その台座８４に対してレンズ９０を含む本体８８を中心軸（本体を垂直方向から見た場合における中心軸）Ｃ回りに回転駆動（左右方向に首振り駆動）させるパン（pan）機構８６と、前記本体８８（台座８４）に対して前記レンズ９０を垂直方向に駆動（上下方向に首振り駆動）させるチルト（tilt）機構９２と、前記デジタルカメラ８２のズーム制御すなわちズームイン（被写体を拡大させる焦点距離の変更）及びズームアウト（被写体を縮小させる焦点距離の変更）を行うズーム（zoom）機構９４とを、備えて構成されている。すなわち、前記デジタルカメラ８２は、前記ＣＰＵ６０等からの指令（制御信号）に応じてパン・チルト制御及びズーム制御可能な所謂パン・チルト・ズームカメラである。このデジタルカメラ８２により撮影された撮像に相当する映像情報は、インターフェイス等を介して前記ＣＰＵ６０等へ供給される。
【００３３】
図５は、前記カラオケ装置１６のＣＰＵ６０に備えられた制御機能の要部を説明する機能ブロック線図である。この図５に示す各種制御手段は、好適には、何れも前記カラオケ装置１６のＣＰＵ６０に機能的に備えられたものであるが、これらの制御機能の一部が前記電子早見本装置２２やサーバ装置２０等、他の装置における制御部に機能的に備えられたものであってもよい。例えば、図５に示すログイン認証制御手段１０２、撮像調整手段１０４、利用者人数算出手段１１０、及び撮像解析制御手段１１２の一部乃至全部が前記電子早見本装置２２のＣＰＵ乃至前記サーバ装置２０のＣＰＵに機能的に備えられたものであってもよい。また、撮像調整手段１０４は、前記デジタルカメラ８２に内蔵された制御部に機能的に備えられたものであってもよい。
【００３４】
図５に示すカラオケ演奏制御手段１００は、前記カラオケ装置１６によるカラオケ演奏に際しての演奏曲の出力を制御する。具体的には、前記ＲＡＭ６４等の予約曲テーブルにおける上位の予約曲から順に（すなわち入力順に）、その予約曲テーブルに記憶された予約曲の選曲番号に対応する楽曲データを前記ハードディスク６６のカラオケデータベースから読み出し、その楽曲データに含まれる演奏情報に基づいて演奏曲の出力を制御する。すなわち、演奏情報としてのＭＩＤＩデータに基づいて、前記シンセサイザ４８によりそのＭＩＤＩデータにおける楽譜情報としてのトラック乃至チャンネルに対応する楽器の演奏音（音楽情報）を出力させ、前記アンプミキサ５２を介して前記スピーカ５４から出力させる。また、楽曲データに含まれる歌詞情報に基づいて演奏曲に係る歌詞文字映像の出力を制御する。すなわち、歌詞情報に基づいて歌詞文字映像を生成し、前記映像出力制御部４２を介してその歌詞文字映像を前記映像表示装置４０に表示させる。また、カラオケ演奏の進行に伴い、その歌詞文字映像を切替表示させると共に、歌詞色替情報に基づいて歌詞文字映像を順次色替え表示させる。また、好適には、前記デジタルカメラ８２により撮影された撮像（映像）を、前記歌詞文字映像の背景映像として前記映像表示装置４０に表示させる。
【００３５】
ログイン認証制御手段１０２は、前記電子早見本装置２２やタッチパネルディスプレイ７８等により入力される識別情報（ユーザＩＤ）に応じて前記通信カラオケシステム１０における利用者を認証し、その認証が正常に行われた場合にはその識別情報をもってその利用者のログインを許可する。具体的には、前記電子早見本装置２２等により識別情報であるユーザＩＤ及びパスワードが入力された場合、そのユーザＩＤに対応付けられて前記サーバ装置２０に記憶されたパスワードが入力されたものと一致するか否かをそのサーバ装置２０に照会し、一致する場合には正常な認証を行う一方、一致しない場合にはエラーとする。なお、前記ログイン認証制御手段１０２は、前記電子早見本装置２２等により入力されるユーザＩＤ及びパスワードを前記サーバ装置２０へ送信するものであってもよく、実質的な認証はそのサーバ装置２０側で行うものであっても構わない。
【００３６】
撮像調整手段１０４は、撮像装置である前記デジタルカメラ８２に対して指令（制御信号）を出力することで、そのデジタルカメラ８２における撮像の調整を行う。例えば、前記デジタルカメラ８２における前記パン機構８６により制御される撮像の水平方向（左右方向）を定めるパン制御指令、前記チルト機構９２により制御される撮像の垂直方向（上下方向）を定めるチルト制御指令、及び前記ズーム機構９４により制御される撮像のズームに係る拡大率等を定めるズーム制御指令を、前記デジタルカメラ８２に対して出力する。すなわち、前記撮像調整手段１０４は、前記デジタルカメラ８２における撮像に係る撮像範囲（水平方向範囲及び垂直方向範囲）及び焦点距離の制御を行うことで、その撮像の調整を行う。斯かる制御を行うため、前記撮像調整手段１０４は、図５に示すように、パン／チルト制御手段１０６及びズーム制御手段１０８を備えている。以下、これらの制御機能について分説する。
【００３７】
パン／チルト制御手段１０６は、前記デジタルカメラ８２における撮像に係る撮像範囲の方向を制御することによりそのデジタルカメラ８２における撮像の調整を行う。すなわち、所謂パン・チルトにより前記デジタルカメラ８２における撮像を調整する。具体的には、前記デジタルカメラ８２における撮像の水平方向（左右方向）の角度（角度位置）を定めるパン制御指令を前記パン機構８６に対して出力することで、そのパン機構８６を介して前記デジタルカメラ８２における撮像（レンズ９０）の水平方向に係る撮像範囲を制御する。また、前記デジタルカメラ８２における撮像の垂直方向（上下方向）の角度（角度位置）を定めるチルト制御指令を前記チルト機構９２に対して出力することで、そのチルト機構９２を介して前記デジタルカメラ８２における撮像（レンズ９０）の垂直方向に係る撮像範囲を制御する。換言すれば、前記パン機構８６及びチルト機構９２を介して、前記デジタルカメラ８２における撮像の２軸方向（水平方向及び垂直方向）に係る撮像範囲を制御する。
【００３８】
ズーム制御手段１０８は、前記デジタルカメラ８２の焦点距離を制御することによりそのデジタルカメラ８２における撮像の調整を行う。すなわち、所謂ズームにより前記デジタルカメラ８２における撮像を調整する。具体的には、前記ズーム機構９４を介して前記デジタルカメラ８２の焦点距離を連続的に変化させ、撮影される撮像（映像）の大きさを連続的に変化させる。換言すれば、前記デジタルカメラ８２における撮像のズームイン（zoom in：被写体の拡大）乃至ズームアウト（zoom out：被写体の縮小）を行う。斯かる制御は、好適には、前記レンズ９０に係る一部構成を駆動することにより、焦点面位置を変えることなく焦点距離を変更することにより実行される。すなわち、前記ズーム機構９４は、好適には、前記レンズ９０に係る一部構成を駆動することにより前記デジタルカメラ８２の撮像に係るズーム制御を行うものである。
【００３９】
利用者人数算出手段１１０は、前記カラオケ装置１６を用いて諸共にカラオケ演奏を行っている利用者の人数を算出する。例えば、カラオケボックス等の前記店舗１２における前記個室１４内において前記カラオケ装置１６を用いたカラオケ演奏を行っている場合には、その個室１４内で諸共にカラオケ演奏を行っている利用者の人数を算出する。前記利用者人数算出手段１１０は、好適には、現時点で前記ログイン認証制御手段１０２により正常に認証されている利用者の人数を、前記カラオケ装置１６を用いて諸共にカラオケ演奏を行っている利用者の人数として算出する。換言すれば、前記カラオケ装置１６を介して前記通信カラオケシステム１０にログインしている利用者の人数を、そのカラオケ装置１６を用いて諸共にカラオケ演奏を行っている利用者の人数として算出する。また、前記利用者人数算出手段１１０は、好適には、前記カラオケ装置１６によるカラオケ演奏の開始時（例えば、前記個室１４への入室時）に前記電子早見本装置２２等を介してそのカラオケ装置１６を用いてカラオケ演奏を行う利用者の人数を入力（直接入力）させ、そのようにして入力される利用者の人数を算出（取得）するものであってもよい。
【００４０】
撮像解析制御手段１１２は、前記デジタルカメラ８２により撮影される撮像（映像）の解析を行うものであり、撮像内人数判定手段１１４を備えている。この撮像解析制御手段１１２は、好適には、よく知られた顔認識技術により前記デジタルカメラ８２により撮影される撮像中における人物の顔認識（face recognition）を行う。すなわち、予め定められた関係（例えば、人物の顔における眉毛、目、鼻、及び口等の配置の典型的なパターンを定義する関係）から、前記デジタルカメラ８２により撮影される撮像における明度、彩度、及び色相等に基づいて、その撮像中における人物の顔に相当する部分（部分映像）を認識する。前記撮像内人数判定手段１１４は、前記撮像解析制御手段１１２による解析結果に基づいて、前記デジタルカメラ８２により撮影される撮像に含まれる人物の人数を判定する。好適には、前記撮像解析制御手段１１２により解析される前記デジタルカメラ８２により撮影される撮像中における人物の顔に相当する部分の個数を、その撮像に含まれる人物の人数として判定する。例えば、前記デジタルカメラ８２により撮影される撮像中に、人物の顔に相当する部分が３つ含まれていると解析された場合には、その撮像に３人の人物が含まれていると判定する。
【００４１】
演奏曲進行判定手段１１６は、前記カラオケ装置１６によるカラオケ演奏における演奏曲の進行を判定するものであり、歌唱開始タイミング判定手段１１８を備えている。この演奏曲進行判定手段１１６は、好適には、前記カラオケ演奏制御手段１００によるカラオケ演奏において、対象となる演奏曲の演奏（出力）が現時点でどこまで進行しているかを判定する。好適には、前記カラオケ演奏制御手段１００によるカラオケ演奏の開始からの経過時間に基づいて斯かる判定を行う。また、好適には、各演奏曲に予め定められた演奏区分に基づいて、その演奏曲の進行を判定する。例えば、前記カラオケ演奏制御手段１００により現時点で行われている演奏が、対象となる演奏曲のイントロ、Ａメロ、Ｂメロ、Ｃメロ、フィル、サビ、間奏、後奏、及び変拍等の何れの区分に相当するかを判定する。
【００４２】
前記歌唱開始タイミング判定手段１１８は、前記カラオケ演奏制御手段１００によるカラオケ演奏において、その演奏の対象となる演奏曲における歌唱が開始されるべきタイミングを判定する。この歌唱が開始されるべきタイミングとは、対象となる演奏曲の歌唱パート（ボーカルパート）が始まるタイミングであり、例えば、対象となる演奏曲の出力開始後、前奏が終了して歌唱パートに相当するガイドメロディの出力が開始される時点である。或いは、前奏のない曲やアカペラ（a cappella）曲等においては、対象となる演奏曲の出力開始後、設定に応じて歌唱パート開始までのカウントダウン表示が行われた後、歌唱パートに相当するガイドメロディの出力が開始される時点である。
【００４３】
前記歌唱開始タイミング判定手段１１８は、好適には、対象となる演奏曲に係るガイドメロディの出力が開始されるタイミングを、その演奏曲において歌唱が開始されるべきタイミングとして判定する。具体的には、前記カラオケ演奏制御手段１００による対象となる演奏曲の出力開始後、ガイドメロディにおける最初の音が出力される時点或いはその直前の１拍等を、その演奏曲において歌唱が開始されるべきタイミングとして判定する。
【００４４】
また、前記歌唱開始タイミング判定手段１１８は、好適には、対象となる演奏曲に係る前記歌詞文字映像の色替表示制御が開始されるタイミングを、その演奏曲において歌唱が開始されるべきタイミングとして判定する。具体的には、前記カラオケ演奏制御手段１００による対象となる演奏曲の出力開始後、その演奏曲の歌詞情報に基づいて歌詞文字映像が生成され、前記映像出力制御部４２を介してその歌詞文字映像が前記映像表示装置４０に表示された後、その歌詞文字映像の実際の色替表示が開始される時点或いはその直前の１拍等を、その演奏曲において歌唱が開始されるべきタイミングとして判定する。また、前記歌唱開始タイミング判定手段１１８は、好適には、対象となる演奏曲に係る前記歌詞文字映像が表示されたタイミングすなわちその歌詞文字映像が前記映像表示装置４０に表示された時点を、その演奏曲において歌唱が開始されるべきタイミングとして判定するものであってもよい。
【００４５】
また、前記歌唱開始タイミング判定手段１１８は、好適には、対象となる演奏曲の出力に伴い所定の音声入力装置である前記マイクロフォン５０からの音声入力が開始されるタイミングを、その演奏曲において歌唱が開始されるべきタイミングとして判定する。具体的には、前記マイクロフォン５０から前記Ａ／Ｄコンバータ７４を介して入力された音声情報が、予め定められた所定値以上の信号強度に対応するものと判定された場合に、その判定が行われた時点をその演奏曲において歌唱が開始されるべきタイミングとして判定する。
【００４６】
前記撮像調整手段１０４は、好適には、前記撮像内人数判定手段１１４により判定される人数と、前記利用者人数算出手段１１０により算出される人数とを、比較する人数比較手段１０９を備えており、この人数比較手段１０９による比較結果に基づいて前記撮像の調整の終了等を判定する。すなわち、前記撮像調整手段１０４は、好適には、前記撮像内人数判定手段１１４により判定される人数が、前記利用者人数算出手段１１０により算出された人数と一致した時点で前記撮像の調整を終了する。特に、前記カラオケ演奏制御手段１００によるカラオケ演奏制御において、前記デジタルカメラ８２により撮影された撮像（映像）を、前記歌詞文字映像の背景映像として前記映像表示装置４０に表示させる態様において斯かる制御を行う。すなわち、前記撮像解析制御手段１１２による解析結果に基づいて判定される、前記デジタルカメラ８２により撮影される撮像に含まれる人物の人数が、前記利用者人数算出手段１１０により算出された人数例えばその時点で前記カラオケ装置１６を介して前記通信カラオケシステム１０にログインしている利用者の人数と一致した時点で、前記撮像調整手段１０４による前記デジタルカメラ８２における撮像の調整を終了する。
【００４７】
図６〜図８は、前記デジタルカメラ８２により撮影される撮像を例示するものであり、前記カラオケ装置１６を用いてカラオケ演奏を行っている利用者が３人である場合における撮像の調整について説明する図である。図６に示す撮像１２０においては、人物の顔に相当する映像１２６ａは含まれているものの、余の人物の顔に相当する映像１２６ｂ、１２６ｃ（図８を参照）は含まれていない。これは、前記デジタルカメラ８２による撮像に係る撮像範囲が、向かって左右方向に関して左側に寄っているためであり、斯かる撮像１２０においては、前記撮像内人数判定手段１１４により判定される人数（＝１人）と、前記利用者人数算出手段１１０により算出された人数（＝３人）とは一致しない。この場合においては、前記パン／チルト制御手段１０６により前記パン機構８６を介して前記デジタルカメラ８２による撮像に係る撮像範囲を向かって右側へ移動させることにより、図８に示すように人物の顔に相当する映像１２６ａ、１２６ｂ、１２６ｃが全て含まれる撮像１２４となる。図７に示す撮像１２２においては、人物の顔に相当する映像１２６ｂは含まれているものの、余の人物の顔に相当する映像１２６ａ、１２６ｃ（図８を参照）は含まれていない。これは、前記デジタルカメラ８２による撮像に係るズームの拡大率が大きすぎる（ズームインし過ぎている）ためであり、斯かる撮像１２２においては、前記撮像内人数判定手段１１４により判定される人数（＝１人）と、前記利用者人数算出手段１１０により算出された人数（＝３人）とは一致しない。この場合においては、前記ズーム制御手段１０８により前記ズーム機構９４を介して前記デジタルカメラ８２による撮像をズームアウトすることで、図８に示すように人物の顔に相当する映像１２６ａ、１２６ｂ、１２６ｃが全て含まれる撮像１２４となる。以上のように、当初は前記デジタルカメラ８２による撮像内に前記カラオケ装置１６を用いてカラオケ演奏を行っている利用者全員の像が含まれていない場合であっても、前記パン機構８６、チルト機構９２、及びズーム機構９４を介して前記デジタルカメラ８２の撮像に係る撮像範囲及びズーム等を制御することにより、その撮像内に前記利用者全員の像が収まるように調整することができる。なお、前記デジタルカメラ８２の配置及び利用者の人数等によっては、必ずしも全員の像がそのデジタルカメラ８２の撮像内に収まるように調整できるとは限らない。
【００４８】
前記撮像調整手段１０４は、好適には、対象となる演奏曲において歌唱が開始されるべきタイミングに合わせて前記撮像の調整を終了する。特に、前記カラオケ演奏制御手段１００によるカラオケ演奏制御において、前記デジタルカメラ８２により撮影された撮像（映像）を、前記歌詞文字映像の背景映像として前記映像表示装置４０に表示させる態様において斯かる制御を行う。すなわち、前記撮像内人数判定手段１１４により判定される人数が、前記利用者人数算出手段１１０により算出された人数と一致しない場合であっても、前記歌唱開始タイミング判定手段１１８により前記演奏曲において歌唱が開始されるべきタイミングであることが判定された場合には、その判定に対応して前記撮像の調整を終了する。好適には、前記演奏曲において歌唱が開始されるべきタイミングで前記撮像の調整を終了する。すなわち、前記歌唱開始タイミング判定手段１１８により対象となる演奏曲における歌唱が開始されるべきタイミングが判定された時点で前記撮像の調整を終了する。また、好適には、対象となる演奏曲における歌唱が開始されるべきタイミングの所定時間前（例えば、５秒前）に前記撮像の調整を終了するものであってもよい。
【００４９】
また、前記撮像調整手段１０４は、好適には、対象となる演奏曲において歌唱が行われない演奏部分では、前記撮像の調整を再開する。例えば、前記カラオケ演奏制御手段１００により現時点で行われている演奏が、対象となる演奏曲の間奏等であることが前記演奏曲進行判定手段１１６により判定された場合には、前記撮像調整手段１０４による前記撮像の調整を行うものであってもよい。斯かる場合において、好適には、間奏に対応する演奏が終了して再び歌唱パートが開始されるタイミングに合わせて前記撮像の調整を終了する。換言すれば、前記撮像調整手段１０４は、好適には、対象となる演奏曲においてガイドメロディの出力が行われている間は、前記撮像調整手段１０４による前記撮像の調整を非実行とする。
【００５０】
図９は、前記カラオケ装置１６のＣＰＵ６０によるログイン／ログアウト制御の要部について説明するフローチャートであり、所定の周期で繰り返し実行されるものである。なお、この図９に示す制御は、前記電子早見本装置２２のＣＰＵ等により実行されるものであってもよい。
【００５１】
先ず、ステップ（以下、ステップを省略する）ＳＡ１において、前記電子早見本装置２２やタッチパネルディスプレイ７８等を介してログイン情報すなわち識別情報及びログインパスワードの入力があったか否かが判断される。このＳＡ１の判断が否定される場合には、ＳＡ７以下の処理が実行されるが、ＳＡ１の判断が肯定される場合には、ＳＡ２において、ＳＡ１にて入力された識別情報及びログインパスワードが前記サーバ装置２０へ送信される。次に、ＳＡ３において、前記サーバ装置２０から正常にログインされたとの応答が返信されたか否かが判断される。このＳＡ３の判断が否定される場合には、ＳＡ６において、エラーである旨が前記電子早見本装置２２やタッチパネルディスプレイ７８等に表示された後、ＳＡ７以下の処理が実行されるが、ＳＡ３の判断が肯定される場合には、ＳＡ４において、正常にログイン処理が行われた後、ＳＡ５において、前記サーバ装置２０におけるデータベース等からログインした利用者に係る各種情報がダウンロードされる。次に、ＳＡ７において、前記電子早見本装置２２やタッチパネルディスプレイ７８等により所定の利用者のログアウト処理を行うための入力があったか否かが判断される。このＳＡ７の判断が否定される場合には、それをもって本ルーチンが終了させられるが、ＳＡ７の判断が肯定される場合には、ＳＡ８において、対象となる利用者のログアウト処理が行われた後、本ルーチンが終了させられる。
【００５２】
図１０は、前記カラオケ装置１６のＣＰＵ６０による撮像調整制御の一例の要部を説明するフローチャートであり、所定の周期で繰り返し実行されるものである。
【００５３】
先ず、Ｓ０において、その時点において前記カラオケ装置１６を介して前記通信カラオケシステム１０にログインしている利用者の人数（ＳＡ４にて正常にログイン認証が行われた利用者の人数）が判定される。次に、Ｓ１において、前記ＲＡＭ６４等に記憶された予約曲テーブルにおける最上位の予約曲の演奏順となる等して、前記カラオケ装置１６による所定の演奏曲の出力が開始されるか否かが判断される。このＳ１の判断が否定される場合には、それをもって本ルーチンが終了させられるが、Ｓ１の判断が肯定される場合には、Ｓ２において、出力が開始される演奏曲のカラオケデータ（楽曲データ）が前記ハードディスク６６におけるカラオケデータベースから読み出されると共に、そのカラオケデータに基づいて演奏曲の出力が開始される。次に、Ｓ３において、前記デジタルカメラ８２におけるパン機構８６及びチルト機構９２を介して、そのデジタルカメラ８２による撮像に係る撮像範囲（撮像方向）の調整が行われる。次に、Ｓ４において、前記デジタルカメラ８２におけるズーム機構９４を介して、そのデジタルカメラ８２による撮像のズームイン乃至ズームアウトすなわち焦点距離の調整が行われる。次に、Ｓ５において、前記デジタルカメラ８２により撮影された撮像が解析され、例えばよく知られた顔認識技術等によりその撮像内に人物の顔に相当する映像が解析される。次に、Ｓ６において、Ｓ５の解析結果に基づいて前記デジタルカメラ８２により撮影された撮像中に含まれる人物の人数が判定される。次に、Ｓ７において、Ｓ６にて判定された人数が、Ｓ０にて判定された前記通信カラオケシステム１０にログインしている利用者の人数と一致するか否かが判断される。このＳ７の判断が肯定される場合には、Ｓ９以下の処理が実行されるが、Ｓ７の判断が否定される場合には、Ｓ８において、前記カラオケ装置１６によるカラオケ演奏においてボーカルパートすなわちガイドメロディに相当するパートが開始されるタイミングであるか否かが判断される。このＳ８の判断が否定される場合には、Ｓ３以下の処理が再び実行されるが、Ｓ８の判断が肯定される場合には、Ｓ９において、前記デジタルカメラ８２におけるパン機構８６、チルト機構９２、及びズーム機構９４等を介してのそのデジタルカメラ８２による撮像の調整が終了させられ、Ｓ１０において、前記カラオケ装置１６によるカラオケ演奏の出力が継続させられた後、本ルーチンが終了させられる。
【００５４】
以上の制御において、Ｓ１、Ｓ２、及びＳ１０が前記カラオケ演奏制御手段１００の動作に、ＳＡ１〜ＳＡ６が前記ログイン認証制御手段１０２の動作に、Ｓ３、Ｓ４、及びＳ９が前記撮像調整手段１０４の動作に、Ｓ３が前記パン／チルト制御手段１０６の動作に、Ｓ４が前記ズーム制御手段１０８の動作に、Ｓ７が前記人数比較手段１０９の動作に、Ｓ０が前記利用者人数算出手段１１０の動作に、Ｓ５及びＳ６が前記撮像解析制御手段１１２の動作に、Ｓ６が前記撮像内人数判定手段１１４の動作に、Ｓ８が前記演奏曲進行判定手段１１６及び歌唱開始タイミング判定手段１１８の動作に、それぞれ対応する。
【００５５】
このように、本実施例によれば、前記カラオケ装置１６に対して位置固定に設けられた、指令に応じて撮像の調整を行い得る撮像装置としてのデジタルカメラ８２と、そのデジタルカメラ８２に対して前記指令を出力することで、そのデジタルカメラ８２における撮像の調整を行う撮像調整手段１０４（Ｓ３、Ｓ４、及びＳ９）とを、備え、その撮像調整手段１０４は、前記演奏曲の進行に従って前記撮像の調整を行うタイミングを制御するものであることから、前記カラオケ装置１６によるカラオケ演奏との兼ね合いを考慮しつつ、好適に前記デジタルカメラ８２における撮像の調整を行うことができる。すなわち、撮像装置における撮像の調整を好適に行い得るカラオケ装置１６を提供することができる。
【００５６】
また、前記撮像調整手段１０４は、前記演奏曲における歌唱が開始されるべきタイミングに合わせて前記撮像の調整を終了するものであるため、演奏者が演奏に集中することができなかったり、場の雰囲気が壊れたりといった不具合の発生を好適に抑制することができる。
【００５７】
また、前記撮像調整手段１０４は、前記演奏曲に係るガイドメロディの出力が開始されるタイミングに合わせて前記撮像の調整を終了するものであるため、前記演奏曲における歌唱が開始されるべきタイミングに合わせて前記撮像の調整を終了することができ、演奏者が演奏に集中することができなかったり、場の雰囲気が壊れたりといった不具合の発生を好適に抑制することができる。
【００５８】
また、前記撮像調整手段１０４は、前記演奏曲に係る前記歌詞文字映像の色替表示制御が開始されるタイミングに合わせて前記撮像の調整を終了するものであるため、前記演奏曲における歌唱が開始されるべきタイミングに合わせて前記撮像の調整を終了することができ、演奏者が演奏に集中することができなかったり、場の雰囲気が壊れたりといった不具合の発生を好適に抑制することができる。
【００５９】
また、前記撮像調整手段１０４は、前記演奏曲の出力に伴い所定の音声入力装置である前記マイクロフォン５０からの音声入力が開始されるタイミングに合わせて前記撮像の調整を終了するものであるため、前記演奏曲における歌唱が開始されるべきタイミングに合わせて前記撮像の調整を終了することができ、演奏者が演奏に集中することができなかったり、場の雰囲気が壊れたりといった不具合の発生を好適に抑制することができる。
【００６０】
また、前記カラオケ装置１６を用いてカラオケ演奏を行っている利用者の人数を算出する利用者人数算出手段１１０（Ｓ０）と、前記デジタルカメラ８２により撮影される撮像に含まれる人物の人数を判定する撮像内人数判定手段１１４（Ｓ６）とを、備え、前記撮像調整手段１０４は、前記撮像内人数判定手段１１４により判定される人数が、前記利用者人数算出手段１１０により算出された人数と一致した時点で前記撮像の調整を終了するものであるため、前記カラオケ装置１６を用いてカラオケ演奏を行っている利用者すべてが、前記デジタルカメラ８２における撮像内に含まれるように、そのデジタルカメラ８２における撮像を好適且つ実用的な態様で調整することができる。
【００６１】
また、前記撮像調整手段１０４は、前記デジタルカメラ８２の撮像方向を制御することによりそのデジタルカメラ８２における撮像の調整を行うものであるため、所謂パン・チルトにより前記デジタルカメラ８２における撮像を好適且つ実用的な態様で調整することができる。
【００６２】
また、前記撮像調整手段１０４は、前記デジタルカメラ８２のズームを制御することによりそのデジタルカメラ８２における撮像の調整を行うものであるため、ズームイン乃至ズームアウトにより前記デジタルカメラ８２における撮像を好適且つ実用的な態様で調整することができる。
【００６３】
以上、本発明の好適な実施例を図面に基づいて詳細に説明したが、本発明はこれに限定されるものではなく、更に別の態様においても実施される。
【００６４】
例えば、前述の実施例において、前記撮像調整手段１０４は、前記デジタルカメラ８２におけるパン機構８６、チルト機構９２、及びズーム機構９４を介してそのデジタルカメラ８２による撮像のパン・チルト制御及びズーム制御を行うことでその撮像を調整するものであったが、本発明はこれに限定されるものではなく、例えば、通常撮影モード及びパノラマ撮影モードの何れか一方が選択的に成立させられる撮像装置に関して、前記撮像調整手段１０４は、その撮像装置における撮影モードの切り替えを行うことで撮像の調整を行うものであってもよい。また、通常のレンズと魚眼レンズとを切り替え得る構成を備えた撮像装置に関して、前記撮像調整手段１０４は、その撮像装置における通常のレンズと魚眼レンズとの切り替える制御を行うことでその撮像装置による撮像の調整を行うものであってもよい。
【００６５】
また、前述の実施例において、前記撮像調整手段１０４は、前記カラオケ装置１６を用いてカラオケ演奏を行っている利用者全員が前記デジタルカメラ８２による撮像内に収まったと判定されることによりその撮像の調整を終了するものであったが、これはあくまで本発明の好適な実施例であり、必ずしも前記カラオケ装置１６を用いてカラオケ演奏を行っている利用者全員が前記デジタルカメラ８２による撮像内に収まることを調整終了の条件としなくともよい。例えば、前記撮像解析制御手段１１２による解析結果に基づいて、前記デジタルカメラ８２による撮像内における各人物の顔に相当する映像を中心とする撮像範囲（各人物の顔に相当する映像が略中央になるアングル）をそれぞれ記憶する等の調整を行うものであってもよい。更に、前記カラオケ演奏制御手段１００によるカラオケ演奏の進行に従って、その記憶された各撮像範囲をとるように前記デジタルカメラ８２の撮像範囲を切り替えるものであってもよい。例えば、対象となる演奏曲のＡメロ、Ｂメロ、サビ等でそれぞれ異なる撮像範囲となるように、前記デジタルカメラ８２の撮像を制御する。このようにすれば、特に、前記カラオケ演奏制御手段１００によるカラオケ演奏制御において、前記デジタルカメラ８２により撮影された撮像（映像）を、前記歌詞文字映像の背景映像として前記映像表示装置４０に表示させる態様において、カラオケ演奏の進行に従って各利用者の顔を中心とする映像が順次背景映像として表示され、あたかも複数台の撮像装置で撮影しているように演出することで、場の雰囲気を好適に盛り上げることができる。また、斯かる態様においても、前記演奏曲の進行に従って前記撮像の調整を行うタイミングを制御すること、例えば対象となる演奏曲における歌唱が開始されるべきタイミングに合わせて前記撮像の調整を終了することで、場の雰囲気の悪化等の不具合を抑制することができ、本発明の一応の効果を奏する。
【００６６】
その他、一々例示はしないが、本発明はその趣旨を逸脱しない範囲内において種々の変更が加えられて実施されるものである。
【符号の説明】
【００６７】
１６：カラオケ装置、５０：マイクロフォン（音声入力装置）、８２：デジタルカメラ（撮像装置）、１０４：撮像調整手段、１１０：利用者人数算出手段、１１４：撮像内人数判定手段
【図１】
2013200370.tif 000003
【図２】
2013200370.tif 000004
【図３】
2013200370.tif 000005
【図４】
2013200370.tif 000006
【図５】
2013200370.tif 000007
【図６】
2013200370.tif 000008
【図７】
2013200370.tif 000009
【図８】
2013200370.tif 000010
【図９】
2013200370.tif 000011
【図１０】
2013200370.tif 000012